(57)【要約】      （修正有）【課題】壁のスイッチに付けるデジタル時計を提供する。【解決手段】主にディスプレイ１１を具有するデジタル時計モジュール１０、変圧モジュール１２で構成する壁５０のスイッチ２０に付けるデジタル時計１の構造である。変圧モジュールを壁のスイッチの電源スペース３０内に設置し、デジタル時計モジュールを壁のスイッチの後端に套設し、且つディスプレイを壁のスイッチの表示部２００に対応させる。変圧モジュールは壁のスイッチの電源スペース内のある家庭用電源と電気接続することで、適量の電源をデジタル時計モジュールにアウトプットする。ディスプレイはデジタル時計モジュールと電気接続し、且つデジタル時計モジュールは変圧モジュールと電気接続することで、変圧モジュールがアウトプットした適量の電源を受け、それによりデジタル時計モジュールにシグナルが発生する。デジタル時計のシグナルはディスプレイを介して日付と時間を表示する。【選択図】図１
0003186144.tif 000002
【実用新案登録請求の範囲】
【請求項１】
ディスプレイを具有するデジタル時計モジュール、変圧モジュールを含み、
該変圧モジュールを壁のスイッチの電源スペース内に設置し、該デジタル時計モジュールを壁のスイッチの後端に套設し、且つ該ディスプレイを壁のスイッチの表示部に対応させ、
該変圧モジュールは壁のスイッチの電源スペース内のある家庭用電源と電気接続することで、適量の電源をデジタル時計モジュールにアウトプットし、
該ディスプレイはデジタル時計モジュールと電気接続し、且つデジタル時計モジュールは変圧モジュールと電気接続することで、変圧モジュールがアウトプットした適量の電源を受け、それによりデジタル時計モジュールにシグナルが発生し、
該デジタル時計のシグナルはディスプレイを介して日付と時間を表示することを特徴とする壁のスイッチに付けるデジタル時計の構造。
【請求項２】
前記デジタル時計モジュールのディスプレイに少なくとも一つの表示パターンがあり、
該表示パターンは少なくとも一つの壁のスイッチの表示部と対応することで、完全なデジタル時計シグナル表示をすることを特徴とする請求項１記載の壁のスイッチに付けるデジタル時計の構造。
【請求項３】
前記デジタル時計モジュールは更に少なくとも一つの時刻調整ボタンを含むことで、ユーザーがデジタル時計モジュールのデジタル時計シグナルを調整するのに用いることを特徴とする請求項１記載の壁のスイッチに付けるデジタル時計の構造。
【請求項４】
前記デジタル時計は更に中央に開口を設けるスイッチ固定台を含み、該スイッチ固定台はデジタル時計モジュールおよび壁のスイッチに合わせて壁に固設することを特徴とする請求項１記載の壁のスイッチに付けるデジタル時計の構造。
【請求項５】
前記デジタル時計は更に一つの枠を含み、それを壁のスイッチの縁に套設することで、壁のスイッチと壁が更に美しいものとなることを特徴とする請求項１記載の壁のスイッチに付けるデジタル時計の構造。
【請求項６】
前記ディスプレイはＬＥＤ、ＬＣＤ或いはＯＬＥＤとすることができることを特徴とする請求項１記載の壁のスイッチに付けるデジタル時計の構造。
【請求項７】
更に一つの予備電力モジュールを含み、該予備電力モジュールは家庭用電源或いは変圧モジュールと電気接続することで、変圧モジュールが家庭用電源から適量の電源をデジタル時計モジュールに流すことができない場合、該予備電力モジュールは、適時に適量の電源をデジタル時計モジュールに流すことを特徴とする請求項１記載の壁のスイッチに付けるデジタル時計の構造。
【請求項８】
前記デジタル時計モジュールは更に少なくとも一つの照明モジュールを含み、該照明モジュールはデジタル時計モジュールと電気接続し、ディスプレイに照明を与えることを特徴とする請求項１記載の壁のスイッチに付けるデジタル時計の構造。
【請求項９】
前記照明モジュールは少なくとも一つの照明調整ボタンを含み、ユーザーは照明モジュールのオンオフ、光度或いは照明パターンを調整できることを特徴とする請求項８記載の壁のスイッチに付けるデジタル時計の構造。
【請求項１０】
前記照明モジュールはＬＥＤランプ或いは発光体とすることを特徴とする請求項８記載の壁のスイッチに付けるデジタル時計の構造。
【考案の詳細な説明】
【技術分野】
【０００１】
本考案は壁のスイッチに付けるデジタル時計の構造に関し、特に有効的に従来の壁のスイッチの構造を利用してデジタル時計を套設し、ダブル効果を具有する壁のスイッチに付けるデジタル時計の構造に関する。
【背景技術】
【０００２】
経済が目覚しく発展し、忙しない生活を送る現代人にとっては、効率と時間を守るのが原則であるため、時計は生活と密着して切り離すことのできないものとなった。人々は随時時計で時間を知り、或いはどれぐらいの時間が経ったのかを知る必要がある。しかし、これら従来の時計のデザインは、壁掛けや置き時計、卓上型などいずれにしても、一定のスペースを要して設置しなければならない。そのような物体の時計は、人々がうっかりぶつかると、落ちて破損したりする上、頭部に怪我を負わすことさえある。特に地震が発生したとき、これらの壁掛け式或いは置き時計などは、時限爆弾みたく、いつ落ちたり、倒れたりして人々の命の安全を脅かすか知れず、取り返しがつかないダメージを与えることがある。同時にこれら従来の時計は、電力としてバッテリーが必要であるが、バッテリーが消耗して不足するとき、時間が狂ってしまうが、バッテリーの消耗を予知することもできず、それによって会社や学校に遅れる状況を招いてしまうことを鑑みて、更なる改善が必要であった。
【考案の概要】
【考案が解決しようとする課題】
【０００３】
前記公知構造の欠点を解決するため、本考案は壁のスイッチにデジタル時計を套設し、スイッチだけでなく、時計の機能をも持ち合わせる壁のスイッチに付けるデジタル時計の構造を提供することを主な課題とする。
【課題を解決するための手段】
【０００４】
前記課題を解決するために、本考案は壁のスイッチに付けるデジタル時計の構造を提供するものである。該デジタル時計を壁のスイッチの後端に套設することで、デジタルのディスプレイが壁のスイッチの表示部と一体に結合する。壁に元からあるスイッチの機能を損なわずに、同時に時計の機能としての時間と日付を表示できる特殊機能を併せ持つことで、ダブル効果を具有する実用性を持つ。別途置くスペースを占領する必要がなく、ぶつかったり落ちたりする危険性がない上、電力が安定し、時計としての安全性と正確度、実用性を高める壁のスイッチに付けるデジタル時計である。
【考案の効果】
【０００５】
本考案はデジタル時計モジュール、変圧モジュールを設置し、該デジタル時計を壁のスイッチの後端に套設することで、デジタルのディスプレイが壁のスイッチの表示部と一体に結合する。該変圧モジュールは壁のスイッチの電源スペース内のある家庭用電源と電気接続することで、バッテリーが切れる心配がなく、壁に元からあるスイッチの機能を損なわずに、同時に時計の機能としての時間と日付を表示できる。
【図面の簡単な説明】
【０００６】
【図１】本考案の最良実施例の立体略図(一)
【図２】本考案の最良実施例の立体略図(二)
【図３】本考案の最良実施例の立体略図(三)
【図４】本考案の最良実施例の立体略図(四)
【図５】本考案の最良実施例の立体略図(五)
【図６】本考案の最良実施例の立体略図(六)
【図７】本考案の最良実施例の立体略図(七)
【図８】本考案の最良実施例の立体略図(八)
【考案を実施するための形態】
【０００７】
以下、本考案の構造と特徴および効果を、最良実施例と図面を参照しながら詳細に説明する。
【実施例】
【０００８】
図１、図２に示すように、本考案の最良実施例のデジタル時計１に主に含まれるのはディスプレイ１１を具有するデジタル時計モジュールと、一つの変圧モジュール１２である。該変圧モジュール１２を壁のスイッチ２０の電源スペース３０内に設置し、該デジタル時計モジュール１０を壁のスイッチ２０の後端に套設し、且つ該ディスプレイ１１を壁のスイッチ２０の表示部２００に対応させる。当該壁のスイッチ２０の表示部２００はニーズに基づき透明或いは透かし彫り状にすることで、ディスプレイ１１に表示する日付と時間がはっきりと読み取ることができる。仮に表示部２００が透かし彫り状の場合、更に一つの透明パネルを貼合することで、表示部２００を保護することができる。該変圧モジュール１２は壁のスイッチ２０の電源スペース３０内のある家庭用電源と電気接続することで、適量の電源をデジタル時計モジュール１０にアウトプットする。例えば一般の家庭用電源が１１０ボルトであり、デジタル時計モジュール１０に必要な適量の電圧が１２ボルトである場合、該変圧モジュール１２は１１０ボルトの交流電圧から１２ボルトの直流電圧に変換する変圧整流器を変圧モジュール１２とする。その中で、ディスプレイ１１はデジタル時計モジュール１０と電気接続し、且つデジタル時計モジュール１０は変圧モジュール１２と電気接続することで、変圧モジュール１２がアウトプットした適量の電源を受け、それによりデジタル時計モジュール１０にシグナルが発生し、且つ該デジタル時計のシグナルはディスプレイ１１を介して日付と時間を表示する。該デジタル時計モジュール１０は更に時刻調整ボタン１５を含み、ユーザーがデジタル時計モジュール１０のデジタル時計シグナルを調整するのに用いる。デジタル時計モジュール１０は更に照明モジュール１３を含み、ディスプレイ１１に表示される日付と時間を照らす。該照明モジュール１３は更に照明調整ボタン１３１を含み、ユーザーはそれを使って照明モジュール１３のオンオフや光度、或いはその他の様々な照明パターンを調整することができる。本考案のデジタル時計１は更に中央に開口を設けるスイッチ固定台２１および枠２２を含み、スイッチ固定台２１はデジタル時計モジュール１０および壁のスイッチ２０に合わせて壁に固設してから、枠２２を壁のスイッチ２０の縁に套設することで、壁のスイッチ２０と壁５０が更に美しいものとなる。本考案のディスプレイ１１はニーズに基づきＬＥＤ、ＬＣＤ或いはＯＬＥＤとすることができ、照明モジュール１３もまたニーズに合わせてＬＥＤランプ或いはその他の各種発光体をセレクトすることができる。該照明モジュール１３はディスプレイ１１に照明を与えるだけでなく、室内の緊急照明ランプとして応用し、または常夜灯として使うこともできる。本考案のデジタル時計１は更に一つの予備電力モジュールを含み、該予備電力モジュールは充電タイプのバッテリーとすることができ、家庭用電源或いは変圧モジュールと電気接続し、随時充電を行う。変圧モジュール１２が家庭用電源から適量の電源をデジタル時計モジュール１０に流すことができない場合、該予備電力モジュールは、適時に適量の電源をデジタル時計モジュール１０に流すため、デジタル時計モジュール１０が予備電力モジュールの電源によって、デジタル時計のシグナルを途切れることなくディスプレイ１１を通じて日付と時間を表示することができる。該デジタル時計１はニーズに基づき、目覚まし時計、一時間ごとに時報が鳴る或いはその他の特定機能を具有することができる。
【０００９】
図３、図４および図５に示すように、本考案の最良実施例のデジタル時計モジュール１０のディスプレイ１１に少なくとも一つの表示パターンがある。該表示パターンは壁のスイッチ２０の異なるデザインに対応してデザインに変化を加えることができる。デジタル時計モジュール１０を壁のスイッチ２０の後端に套設するとき、該ディスプレイ１１の完全な表示パターンはちょうど一つの壁のスイッチ２０の表示部２００と対応する。該壁のスイッチ２０は別途二つの従来の電源コンセント１０ａを組み合わせることができ、ユーザーが電源を接続することができる。また、図４に示すように、デジタル時計モジュール１０のディスプレイ１１の表示パターンはちょうど二つの壁のスイッチ２０の表示部２００と対応でき、一つの完全なデジタル時計シグナル表示を構成し、且つ壁のスイッチ２０はまた別途に一つの従来コンセント１０ａを組み合わせることができる。或いは図５に示すように、デジタル時計モジュール１０とディスプレイ１１の表示パターンがちょうど三つの壁のスイッチ２０の表示部２００と対応でき、一つの完全なデジタル時計シグナル表示を構成する。本考案の時刻調整ボタン１５はニーズに基づきフラット状、窪み状或いは突起状にデザインすることができ、使用時の便利性を高める。
【００１０】
図６、図７および図８に示すように、本考案の最良実施例のデジタル時計モジュール１０を壁のスイッチ２０の後端に套設し、当該ディスプレイ１１の表示パターンはちょうど規格が二つの壁のスイッチ２０の表示部２００と対応することができ、一つの完全なデジタル時計シグナル表示を構成する。或いは図７に示すように、当該ディスプレイ１１の完全な表示パターンはちょうど一つのサイズの規格が比較的大きい壁のスイッチ２０の表示部２００と対応する。或いは図８に示すように、デジタル時計モジュール１０のディスプレイ１１の完全な表示パターンはちょうど一つの中サイズの規格の壁スイッチ２０の表示部２００と対応し、別途一つの従来のスイッチ２０ａを組み合わせることができ、多様な応用と変化の実用性と便利性を具有する。
【００１１】
前記の記述により、本考案の構造の斬新性と改良部分は：(一)本考案のデジタル時計のデジタル時計モジュールは壁のスイッチの後端に套設し、且つディスプレイが壁のスイッチの表示部と対応させることで、壁のスイッチと一体化する。元からある壁のスイッチの機能を保留できるだけでなく、時計の時間と日付を表示する特殊機能を持つことで、ダブル効果を具有し、実用的である。 (二)本考案のデジタル時計のデジタル時計モジュールは壁のスイッチと結合して一体とし、安定して壁に設置し、全くスペースを占領しない上、ぶつかって落ちる危険性もなく、確実に人々の生活の安全性を高める。 (三)本考案のデジタル時計のデジタル時計モジュールは家庭用電源を電力の源とするため、電力が安定する上、従来の時計のバッテリーが切れて時計の時間が狂う問題はなくなる。また、本考案のデジタル時計は別途予備電力モジュールを組み合わせるため、更に安定した電力を供給することができる。(四)本考案のデジタル時計モジュールのディスプレイの表示パターンは、壁のスイッチ２０の異なるデザインに対応してデザインに変化を加えることができる。
【００１２】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１３】
１０ａ    従来のコンセント
２０ａ    従来のスイッチ
１        デジタル時計
１０      デジタル時計モジュール
１１      ディスプレイ
１２      変圧モジュール
１３      照明モジュール
１３１    照明調整ボタン
１５      時刻調整ボタン
２０      壁のスイッチ
２００    表示部
２１      スイッチ固定台
２２      枠
３０      壁の電源スペース
５０      壁
【図１】
0003186144.tif 000003
【図２】
0003186144.tif 000004
【図３】
0003186144.tif 000005
【図４】
0003186144.tif 000006
【図５】
0003186144.tif 000007
【図６】
0003186144.tif 000008
【図７】
0003186144.tif 000009
【図８】
0003186144.tif 000010